(57)【要約】【課題】  省電力でありながらも、放送受信の可否を確実に表示できる放送受信装置を実現すること。【解決手段】  制御部１は、携帯電話１００の待受時に、地上波デジタルチューナモジュール８０をサーチ時間間隔おきに駆動する。そして、サーチ局として選択されたチャンネルのＯＦＤＭ変調信号の受信を行い、このＯＦＤＭ変調信号を復調することで得られたトランスポート・ストリーム（ＴＳ）をサーチ結果として当該チャンネルと対応付けて記憶する。制御部１は、サーチ局のチャンネル全てのＯＦＤＭ変調信号の受信を順次行う。そして、チャンネル毎のサーチ結果のビットエラーレート（ＢＥＲ）を測定して、そのＢＥＲから放送受信が可能か否かを判定する。放送受信が可能であると判定したチャンネルは、受信可能局ピクトアイコンとしてピクトエリア９００に表示させる。【選択図】図２
2006340160.tif 000002
【特許請求の範囲】
【請求項１】
放送受信手段と、
第１の表示領域と第２の表示領域とを備えた表示手段と、
前記放送受信手段により受信された放送信号より映像情報を生成する生成手段と、
この生成手段によって生成された映像情報を前記第１の表示領域に表示させる第１の表示制御手段と、
前記生成手段が非駆動の際に前記放送受信手段を駆動させ、放送受信が可能か否かをチャンネル毎に判定する判定手段と、
この判定手段による判定の結果を前記第２の表示領域に表示させる第２の表示制御手段と、
を備えることを特徴とする放送受信装置。
【請求項２】
前記第２の表示制御手段は、
前記判定手段の判定の結果に従って、放送受信が可能なチャンネルとして受信可能局を前記第２の表示領域に表示させることを特徴とする請求項１に記載の放送受信装置。
【請求項３】
前記第２の表示制御手段は、
前記判定手段の判定の結果に従って、放送受信が可能なチャンネルの数を前記第２の表示領域に表示させることを特徴とする請求項１又は２に記載の放送受信装置。
【請求項４】
放送信号を受信し、この受信された放送信号より映像情報を生成して表示する放送受信装置における受信チャンネル表示方法において、
前記映像情報の生成が行われていないときに放送受信が可能か否かをチャンネル毎に判定する判定ステップと、
この判定ステップにおける判定の結果を表示部に表示させる表示制御ステップと、
を更に備えることを特徴とする受信チャンネル表示方法。
【請求項５】
コンピュータに、
放送受信による映像情報の生成が行われていないときに前記放送受信が可能か否かをチャンネル毎に判定する判定ステップと、
この判定ステップにおける判定の結果を表示部に表示させる表示制御ステップと、
を実行させるためのプログラム。
【発明の詳細な説明】
【技術分野】
【０００１】
本発明は、放送信号を受信し、この受信された放送信号より映像情報を生成して表示する放送受信装置及び当該放送受信装置における受信チャンネル表示方法に関する。
【背景技術】
【０００２】
従来から、テレビ（以下、「ＴＶ」という。）放送やラジオ放送等の放送受信を行う放送受信装置が知られている。近年、放送受信装置は、小型化が進んでおり、例えば、地上波デジタルＴＶ放送やアナログＴＶ放送等の受信器を内蔵した携帯用ＴＶや携帯電話機等が普及している。
【０００３】
据え置き型ＴＶは、電波受信に好条件な環境に設置されたアンテナにより、安定した品質でＴＶ放送を受信することができ、これに対し携帯用ＴＶは、家庭等で利用される据え置き型ＴＶとは異なり外出先等でＴＶを視聴することができる。しかし、携帯用ＴＶは、ユーザに持ち運ばれるため、受信状態が変化し、受信感度が悪くなる場合があった。
【０００４】
このようなユーザの移動による受信感度の変化への対策として、次のような技術が知られている。
（１）自動車に設置された移動体ＴＶ受信装置において、同じく自動車に設置されたＧＰＳ装置によって測位された位置情報から、現在所属している放送局エリアと近隣の放送局エリアとを判断し、判断した各放送局エリアそれぞれに対応するチャンネルの放送を受信することで、近隣の放送局エリアを含めた各チャンネルの実際の受信感度を検出して表示する移動体ＴＶ受信装置が知られている（例えば、特許文献１参照）。
【０００５】
（２）電波の受信感度や受信の可否といった受信状態を検出し、検出した時点においてＧＰＳ装置によって測位された位置情報に当該受信状態を対応付けて表示することで、ユーザが移動してきた地点や地域での受信感度を表示する受信装置が知られている（例えば、特許文献２参照）。
【０００６】
（３）あるチャンネル（放送局）の放送波の受信状態が良好であるかどうかを判断して、電子番組表に、受信状態の悪いチャンネルを他のチャンネルと区別して表示するデジタル放送受信機が知られている（例えば、特許文献３参照）。
【０００７】
（４）ＯＦＤＭ復調器から得られる受信感度情報に基づいて、現在の受信感度が、指定したチャンネルの放送を受信するのに必要な基準値を満たしているかどうかを判定し、基準値を満たしている場合は映像を表示し、満たしていない場合は、受信不能であることと、受信感度情報とを表示するデジタル放送受信装置が知られている（例えば、特許文献４及び５参照）。
【０００８】
【特許文献１】特開平５−８３６４８号公報
【特許文献２】特開平１０−１８５５９８号公報
【特許文献３】特開２００３−２１９３０３号公報
【特許文献４】特開２００４−１８０２７１号公報
【特許文献５】特開２００４−２２８６９５号公報
【発明の開示】
【発明が解決しようとする課題】
【０００９】
しかし、特許文献１〜５の技術には、次ような問題があった。
即ち、特許文献４及び５の技術は、放送の受信を開始することによって、初めてその場所（受信環境）における受信の可否を知ることができる。このため、ユーザは、放送の開始指示を行った後に、初めて放送の視聴が可能であるか否かを知ることができる。
【００１０】
また、特許文献３の技術は、チャンネル毎の放送受信の可否を知ることができるが、ユーザが、放送の視聴前に一旦電子番組表を参照するといったワンステップを踏まなければならず、使い勝手が悪くなってしまった。
【００１１】
また、特許文献１及び２の技術により受信感度を表示する方策が考えられるが、この場合、ＴＶ放送やラジオ放送等の受信器を常時駆動しておく必要がある。また、ＴＶ放送の場合、映像を表示させることにより、映像表示に関わる回路を動作する必要がある。このため、映像表示のために費やされるバッテリーが増えるといった不具合が生じ得る。この不具合は、デジタル放送受信のみを行う装置であれば問題ないが、殊、携帯電話のような無線通信端末にデジタル放送受信機能を持たせた場合、本来の無線通信機能に少なからず影響を与える。
【００１２】
本発明は、以上のような課題に鑑みて為されたものであり、その目的とするところは、省電力でありながらも、放送受信の可否を確実に表示できる放送受信装置を実現することである。
【課題を解決するための手段】
【００１３】
以上の課題を解決するために、請求項１に記載の放送受信装置は、
放送受信手段と、
第１の表示領域と第２の表示領域とを備えた表示手段と、
前記放送受信手段により受信された放送信号より映像情報を生成する生成手段と、
この生成手段によって生成された映像情報を前記第１の表示領域に表示させる第１の表示制御手段と、
前記生成手段が非駆動の際に前記放送受信手段を駆動させ、放送受信が可能か否かをチャンネル毎に判定する判定手段と、
この判定手段による判定の結果を前記第２の表示領域に表示させる第２の表示制御手段と、
を備えることを特徴としている。
【００１４】
請求項２に記載の発明は、請求項１に記載の発明であって、
前記第２の表示制御手段は、
前記判定手段の判定の結果に従って、放送受信が可能なチャンネルとして受信可能局を前記第２の表示領域に表示させることを特徴としている。
【００１５】
請求項３に記載の発明は、請求項１又は２に記載の発明であって、
前記第２の表示制御手段は、
前記判定手段の判定の結果に従って、放送受信が可能なチャンネルの数を前記第２の表示領域に表示させることを特徴としている。
【００１６】
請求項４に記載の発明は、放送信号を受信し、この受信された放送信号より映像情報を生成して表示する放送受信装置における受信チャンネル表示方法において、
前記映像情報の生成が行われていないときに放送受信が可能か否かをチャンネル毎に判定する判定ステップと、
この判定ステップにおける判定の結果を表示部に表示させる表示制御ステップと、
を更に備えることを特徴としている。
【００１７】
請求項５に記載のプログラムは、コンピュータに、
放送受信による映像情報の生成が行われていないときに前記放送受信が可能か否かをチャンネル毎に判定する判定ステップと、
この判定ステップにおける判定の結果を表示部に表示させる表示制御ステップと、
を実行させることを特徴としている。
【発明の効果】
【００１８】
請求項１，４及び５に記載の発明によれば、映像情報を生成していないときに、チャンネル毎の放送受信の可否を判定して判定結果を表示する。これにより、ユーザは、映像情報が表示されていない間にも、チャンネル毎の放送受信の可否を確認することができる。また、生成手段を駆動する必要がないため、電力の消費を抑えることができる。従って、省電力でありながらも、放送受信の可否を確実に表示できる放送受信装置が実現できる。
【００１９】
請求項２に記載の発明によれば、請求項１に記載の発明と同様の効果が得られるのは無論のこと、放送受信が可能なチャンネルを表示するため、ユーザが視聴可能な放送のチャンネルの確認が可能となる。
【００２０】
請求項３に記載の発明によれば、請求項１又は２に記載の発明と同様の効果が得られるのは無論のこと、放送受信が可能なチャンネルの数を表示するため、ユーザが視聴可能な放送のチャンネルの数の確認が可能となる。
【発明を実施するための最良の形態】
【００２１】
〔第１実施形態〕
以下、本発明の放送受信装置を地上波デジタルＴＶ放送の受信機能を搭載した携帯電話に適用した場合の第１実施形態について図１〜図５を参照して詳細に説明する。
【００２２】
先ず、図１は携帯電話１００の正面図及び背面図の一例である。同図に示すように、携帯電話１００は、アンテナＡＮＴ、受話スピーカ７０、送話マイク７２、ステレオスピーカ７８の右スピーカ７８Ｒ及び左スピーカ７８Ｌ、カメラ６０、カメラフラッシュ６６、メインディスプレイ９０、サブディスプレイ９１、キーマトリックス４０、着脱可能な充電池１１０及びイヤホンジャック７５を備え、ヒンジ３８により折り畳み可能に構成されている。
【００２３】
アンテナＡＮＴは、無線電波の送受信を行う無線用アンテナＡＮＴ２とＴＶ放送を受信するＴＶ用アンテナＡＮＴ８とを内蔵して構成される。携帯電話１００は、無線用アンテナＡＮＴ２を介して無線通信網（無線電話網を含む）に接続する。そして、無線通話を行うことで受信した受話音声を受話スピーカ７０から音声出力し、送話マイク７２から入力された音声を変調して送信する。
【００２４】
キーマトリックス４０は、決定キー４１、カーソルキー４２、ＴＶキー４３、メニュキー４４、クリアキー４５、通話開始（オフフック）キー４６及び通話終了（オンフック）キー４７等により構成される。
【００２５】
カーソルキー４２は、画面のスクロールや選択操作を行うためのキーあり、上下左右の４方向を検知可能に構成される。ユーザは、メニュキー４４を押下することによってメニュリストを表示させる。そして、そのメニュリストから機能の選択や設定内容の変更をカーソルキー４２の押下によって行い、更に決定キー４１の押下により機能の選択や設定内容の変更を決定・確定し、携帯電話１００の各種設定を行う。
【００２６】
メインディスプレイ９０は、当該携帯電話１００の電波受信状態や充電池残容量の他、本実施形態においては受信可能なチャンネル番号、放送局数を表示するピクトエリア９００と、ＴＶ映像等、高解像度の映像を表示させる映像表示エリア９０１とを備え、ＴＶキー４３の押下により、映像表示エリア９０１上にＴＶ映像を表示すると共に、ステレオスピーカ７８からＴＶ音声を出力する。尚、受信可能なチャンネル番号や放送局数はサブディスプレイ９１に表示させるようにしてもよい。
【００２７】
クリアキー４５は、入力内容をクリアしたり、表示画面を直前の画面に戻したりするためのキーである。通話開始キー４６は、電話の発信時や着信時に電話回線に接続するためのキーであり、通話終了キー４７は、電話回線との接続を切断するためのキーである。また、通話終了キー４７は、携帯電話１００の電源スイッチとしても機能し、所定時間（例えば、３秒）の間押下し続けると、携帯電話１００の電源の投入／遮断（オン／オフ）の切り替えが行われる。
【００２８】
イヤホンジャック７５は、イヤホンマイク７４のプラグを挿入可能に形成されている。ユーザは、イヤホンジャック７５にイヤホンマイク７４を挿入して携帯電話１００に接続することで、送話マイク７２の音声入力、受話スピーカ７０の音声出力、ステレオスピーカ７８の音声出力を、イヤホンマイク７４からの音声入出力に切り替えられる。
【００２９】
また、無線通話及びＴＶ機能を実行していない待機時に、メインディスプレイ９０は図５（ａ）に示すようになっている。すなわち携帯電話１００は、その待機時において映像表示エリア９０１には、予め携帯電話１００内部に設定された画像を表示させるとともに、ピクトエリア９００には、受信感度ピクトアイコン９０２、電池残量ピクトアイコン９０３及び受信可能局ピクトアイコン９０４，９０５等が表示される。
【００３０】
受信感度ピクトアイコン９０２は、無線基地局から発せられる無線信号の受信感度を表し、電池残量ピクトアイコン９０３は、充電池１１０のバッテリー残量を表し、受信可能局ピクトアイコン９０４，９０５は、放送受信が可能な放送局のチャンネルを表す。これらの受信感度ピクトアイコン９０２、電池残量ピクトアイコン９０３及び受信可能局ピクトアイコン９０４，９０５は、携帯電話１００の使用状態や使用環境に応じて定期的に更新される。
【００３１】
図２は、携帯電話１００の機能構成の一例を示すブロック図である。同図によれば、携帯電話１００は、制御部１、ＲＦ部２、ドライバ部３、入力部４、記憶部５、カメラ部６、音声処理部７、ＴＶ部８、メインディスプレイ９０、サブディスプレイ９１及び電源部１０を備えて構成される。
【００３２】
制御部１は、入力される指示に応じて所定のプログラムに基づいた処理を実行し、各機能部への指示やデータの転送を行う中央演算装置であり、例えば、ベースバンド（Base Band）ＩＣにより構成される。具体的に制御部１は、入力部４から入力される操作信号に応じてプログラムＲＯＭ（Read Only Memory）５０に格納されたプログラムを読み出し、当該プログラムに従った処理を実行する。そして、その処理結果をメインディスプレイ９０やサブディスプレイ９１に表示させる。また、制御部１は、水晶発振器を備えて構成され、この水晶発振器により時刻計時を行う。
【００３３】
尚、第１実施形態における制御部１は、ＤＳＰ（Digital Signal Processor）を内蔵することとしても良いし、ソフト的にＤＳＰとして機能することとしてもよい。ＤＳＰとは、デジタル信号処理用プロセッサのことであり、音声信号や映像信号を符号化したり、デジタルデータを復号して音声データや映像データを抽出したりする。
【００３４】
ＲＦ部２は、制御部１から入力される指示に基づき、アンテナＡＮＴに内蔵された無線用アンテナＡＮＴ２を介して無線通信網（無線電話網を含む）上の無線基地局と接続して、音声通話の無線通信やデータ通信を行う。ＲＦ部２と無線基地局間で送受信される無線信号の変復調方式としては、ＰＤＣ（Personal Digital Cellular）方式、ＣＤＭＡ（Code Division Multiple Access）方式、ＧＳＭ（Global System for Mobile communication）方式等の各種公知技術の何れを利用することとしてもよい。
【００３５】
ドライバ部３は、ＬＥＤ（Light Emitting Diode）ドライバ３０、モータドライバ３２及びＵＳＢ（Universal Serial Bus）ドライバ３４を備えて構成される。ＬＥＤドライバ３０は、キーマトリックス４０やＬＣＤ９０のバックライト用ＬＥＤ、カメラフラッシュ６６用のＬＥＤ等の駆動制御を行う。
【００３６】
モータドライバ３２は、各種モータＭの駆動制御を行う。ＵＳＢドライバ３４は、ＩＦコネクタ３６へのＵＳＢケーブル（図示略）の接続の有無の検知や、当該ＵＳＢケーブルを介して行う外部機器とのデータ通信の制御等を行う。
【００３７】
入力部４は、プログラムの実行開始の指示入力や、各種情報の入力に必要なキーマトリックス４０を備えた入力装置であり、ユーザによって押下されたキーの押下信号を制御部１に出力する。
【００３８】
記憶部５は、プログラムＲＯＭ５０、ワークＲＡＭ（Random Access Memory）５２及びデータストレージＲＡＭ５９を備えて構成される。プログラムＲＯＭ５０は、ＮＯＲ  Ｆｌａｓｈメモリ、もしくは、ＮＡＮＤ  Ｆｌａｓｈメモリ／ＭａｓｋＲＯＭで構成され、各種初期設定、ハードウェアの検査及び各種機能の実行等、携帯電話１００の動作に必要なプログラムや、そのプログラムの実行に係るデータを格納する。
【００３９】
ワークＲＡＭ５２は、ＤＲＡＭで構成され、携帯電話１００の動作に係る各種機能を実現するためのデータやアプリケーションプログラム等を一時的に格納する。尚、プログラムＲＯＭ５０及びワークＲＡＭ５２それぞれが記憶するデータについては後述する。
【００４０】
データストレージＲＡＭ５９は、読み書き可能な不揮発性メモリで構成され、携帯電話１００の各種設定情報や、アドレス帳等のユーザの個人情報、カメラ部６で撮影・生成された画像データ等を記憶する。
【００４１】
カメラ部６は、ＣＭＯＳ（Complementary Metal Oxide Semiconductor）センサやＣＣＤ（Charge Coupled Device）センサ等の撮像素子６２と、光学レンズ６４、Ａ／Ｄ変換器（図示略）等を備えて構成され、図１のカメラ６０に相当するものである。光学レンズ６４を介して入力される被写体の光学像を撮像素子６２により光電変換し、当該光電変換により得られた電気信号を、Ａ／Ｄ変換部によってＡ／Ｄ変換して、デジタルの画像データを生成する。この生成した画像データは、制御部１に出力して、データストレージＲＡＭ５９に記憶させる。
【００４２】
音声処理部７は、受話スピーカ７０、送話マイク７２、イヤホンマイク７４、音源ＩＣ７６及びステレオスピーカ７８を備えて構成される。受話スピーカ７０は、ＲＦ部２の無線通信により受信された受話音声をＤ／Ａ変換、増幅などして音声出力する。送話マイク７２は、入力される送話音声をＡ／Ｄ変換して、ＲＦ部２を介して送信する。イヤホンマイク７４は、イヤホンとマイクとが一体的に形成され、イヤホンジャック７５に挿入可能なコネクタを有して構成される。制御部１は、イヤホンマイク７４が接続されたことを検知した場合、当該イヤホンマイク７４を介して受話音声及び送話音声、ＴＶ音声の入出力を行う。
【００４３】
音源ＩＣ７６は、ステレオスピーカ７８の右スピーカ７８Ｒ及び左スピーカ７８Ｌそれぞれへの音声出力の制御や、着信音等の音源を記憶してその音源の出力制御を行う。
【００４４】
ＴＶ部８は、音声及び映像を含む地上波デジタルＴＶ放送を受信するための回路部である。ＴＶ部８は、地上波デジタルＴＶチューナモジュール（以下、「ＴＶモジュール」と略す。）８０と、ＴＶアクセラレータ８２と、アンテナＡＮＴに内蔵されたＴＶ用アンテナＡＮＴ８とを備えて構成されている。
【００４５】
地上波デジタルＴＶ放送は、複数の信号（電波）を多重化して送受信することが可能なＯＦＤＭ（Orthogonal Frequency Division Multiplexing：直交周波数分割多重方式）が利用され、複数の信号（電波）が多重化されたものである。
【００４６】
制御部１は、ユーザによりＴＶキー４３が押下されたことを検知すると、ＴＶ部８を駆動する。そして、ＴＶ部８によって受信されたＴＶ放送をメインディスプレイ９２に映像出力、ステレオスピーカ７８に音声出力させることでＴＶ機能を実現する。
【００４７】
ＴＶモジュール８０は、ＴＶ用アンテナＡＮＴ８を同調させることによって、ユーザにより選局・指定された放送局のチャンネルに対応する周波数の信号（ＯＦＤＭ変調信号）を受信してＴＶアクセラレータ８２に出力する回路部である。
【００４８】
ＴＶモジュール８０は、受信したＯＦＤＭ変調信号をＡ／Ｄ変換し、そのデジタル信号に対し、同期処理、ＦＦＴ演算（Fast Fourier Transform）、誤り訂正処理を実行することによりＨ．２６４規格により映像信号及び音声信号が圧縮されたＴＳ（Transport Stream：トランスポート・ストリーム）を抽出する。尚、ＴＳを抽出するまでの各処理は、公知技術であるのでその説明は省略する。
【００４９】
ＴＶアクセラレータ８２は、ＴＶモジュール８０により抽出されたＴＳから映像信号、音声信号を分離し、その映像信号及び音声信号をそれぞれ復号する比較的消費電力の多い回路部である。具体的な動作としては、Ｉ２Ｃ規格のバス８４を介してＴＶモジュール８０を制御して当該ＴＶモジュール８０の初期化を行った後、ＴＳインターフェイス８６を介してＴＶモジュール８０から出力されるＴＳを取得する。そして、ＴＳから映像信号、音声信号を分離して復号し、その復号により得られた映像データを後述のドライバ９０７を介してメインディスプレイ９０の映像表示エリア９０１に、音声データを音源ＩＣ７６にそれぞれ出力することで、ＴＶ放送の映像出力及び音声出力を行う。ＴＳはＭＰＥＧ（Moving Picture Experts Group）等の何れかの公知技術で符号化されており、符号化された方式に対応する復号方式で復号される。
【００５０】
制御部１は、上述したようにＴＶキー４３が押下の検知によりＴＶ部８全体を駆動制御して、地上波デジタルＴＶ放送の映像及び音声出力を行うＴＶ機能を実現する。これに対し、ＴＶ機能を起動していない待機時、即ち、ＴＶ部８が非駆動の際に、制御部１は、Ｉ２Ｃバス８９を介してＴＶモジュール８０のみを駆動して直接制御する。そして、放送局全てのチャンネル又はサーチ局５３に設定されたチャンネルのＴＶ放送が受信可能か否かを判定して、ＴＶアクセラレータ８２を介さずに制御信号８８を制御部１に出力する。そして制御部１ではこの制御信号８８に基づいてドライバ９０７を駆動させて携帯電話１００が開状態にあってはメインディスプレイ９０のピクトエリア９００に、閉状態にあってはサブディスプレイ９１に受信可能局ピクトアイコン９０４，９０５を表示させる。
【００５１】
メインディスプレイ９０は、ＱＶＧＡ以上の解像度を備え、ドライバ９０７からの駆動信号を受けて、データ容量の大きい高解像度の映像であれば映像表示エリア９０１に、ピクトアイコンのような容量の小さいデータあればピクトエリア９００に表示する。尚、ピクトアイコンのような容量の小さいデータはサブディスプレイ９１に表示するよう制御することも可能である。
【００５２】
電源部１０は、電源用回路や充電池１１０等により構成され、制御部１の指示に基づいて各機能部への電源供給を行う。特に、本実施形態の特徴的な制御として、電源部１０によるＴＶモジュール８０及びＴＶアクセラレータ８２への電源供給の投入／遮断の切り替え制御が行われる。
【００５３】
具体的には、制御部１の指示に基づいて、ＴＶ部８全体への電源供給を切り替えたり、ＴＶモジュール８０のみに電源供給したりする。図２において、ＴＶ部８及びＴＶモジュール８０への電源供給ラインを太線にて示し、他の機能部への電源供給ラインの図示を省略する。
【００５４】
図３（ａ）は、プログラムＲＯＭ５０のデータ構成の一例を示す図である。同図（ａ）によれば、プログラムＲＯＭ５０は、待受画面表示処理（図４参照）を実現するための待受画面表示プログラム５１を記憶している。制御部１は、携帯電話１００の電源投入時に待受画面表示プログラム５１をプログラムＲＯＭ５０から読み出して展開することで、待受画面表示処理を開始する。
【００５５】
図３（ｂ）は、ワークＲＡＭ５２のデータ構成の一例を示す図である。同図（ｂ）によれば、サーチ局５３、サーチ結果テーブル５４、受信可能局５５及びサーチ時間間隔５６を記憶している。
【００５６】
サーチ局５３は、放送受信が可能なチャンネルの検索の対象とする放送局のチャンネルであり、ユーザによって予め選択・設定される。制御部１は、サーチ局設定操作によって選択・設定されたチャンネルをサーチ局５３としてワークＲＡＭ５２に記憶する。サーチ局設定操作は、メニュリストから「サーチ局設定」を選択することで表示させた全放送局のチャンネル（例えば、１ｃｈ〜６０ｃｈ）の中から、所望のチャンネルを選択・確定する一連の操作である。サーチ局設定操作が為されない場合は、サーチ局５３を格納する領域はクリアした状態とする。
【００５７】
制御部１は、ＴＶモジュール８０を駆動制御して、サーチ局５３として記憶されたチャンネルを順次指定して、そのチャンネルに対応するＯＦＤＭ変調信号の受信を行う。そして、受信したＯＦＤＭ変調信号を復調して取得したＴＳをサーチ結果としてチャンネルと対応付けてサーチ結果テーブル５４に記憶する。
【００５８】
また、サーチ局設定操作が為されず、サーチ局５３がクリアされたままであった場合は、全放送局のチャンネルを順次指定して、そのチャンネルに対応するＯＦＤＭ変調信号のＴＳをサーチ結果テーブル５４に記憶する。
【００５９】
サーチ結果テーブル５４は、上述したようにサーチ局５３のチャンネル又は全放送局のチャンネルの放送受信を行って得られたサーチ結果（ＴＳ）をチャンネル毎に対応付けて記憶するためのデータテーブルである。
【００６０】
受信可能局５５は、放送受信が可能な放送局のチャンネルであり、サーチ結果テーブル５４に基づいて検索されたチャンネルが記憶される。より具体的には、制御部１は、サーチ結果テーブル５４に記憶されたサーチ結果をチャンネル毎に読み出し、そのサーチ結果（ＴＳ）の誤り率（Bit Error Rate；以下、「ＢＥＲ」という。）を測定する。そして、その測定したＢＥＲが規定値（閾値）よりも低い場合は、そのチャンネルのＯＦＤＭ変調信号の品質が良好であり、放送受信が可能であると判定して、当該チャンネルを受信可能局５５として記憶する。
【００６１】
制御部１は、受信可能局５５として記憶されたチャンネル、即ち放送受信が可能なチャンネルを表す表示体を受信可能局ピクトアイコン９０４，９０５として図５（ａ）のようにピクトエリア９００に表示させる。この受信可能局ピクトアイコン９０４，９０５は、放送局のチャンネル番号を含んだ表示体である。この受信可能局ピクトアイコン９０４，９０５の表示により、ユーザにどのチャンネルの放送の視聴が可能か否かを知らしめることができる。
【００６２】
サーチ時間間隔５６は、放送受信が可能なチャンネルの検索のためにＴＶモジュール８０を駆動する時間間隔であり、ユーザにより設定される。制御部１は、ユーザにより設定された時間間隔（例えば、１時間）をサーチ時間間隔５６としてワークＲＡＭ５２に記憶する。そして、サーチ時間間隔５６の時間おきに、ＴＶモジュール８０を駆動して、放送受信が可能なチャンネルの検索を行う。
【００６３】
次に、図４のフローチャートを用いて携帯電話１００の待受画面表示処理の具体的な処理内容を説明する。制御部１は、電源の投入後に、メインディスプレイ９０の映像表示エリア９０１に予め設定された画像表示させ、その一方で、ＲＦ部２を介して受信した無線信号の受信感度と、充電池１１０のバッテリー容量とを定期的に検出して、受信感度ピクトアイコン９０２と電池残量ピクトアイコン９０３との表示更新を行う。また、待受画面表示プログラム５１をプログラムＲＯＭ５０から読み出して、待受画面表示処理を開始することで受信可能局ピクトアイコン９０４，９０５の表示更新を行う。
【００６４】
先ず、制御部１は、待受画面表示処理を開始すると、ユーザによりサーチ局設定操作が為されたと判定した場合には（ステップＳ１；Ｙｅｓ）、当該操作に従って選択されたチャンネルをサーチ局５３としてワークＲＡＭ５２に記憶する（ステップＳ３）。一方、サーチ局設定操作が為されなかった場合には（ステップＳ１；Ｎｏ）、そのままステップＳ５へ移行する。
【００６５】
そして、電源部１０を制御して、ＴＶモジュール８０の電源をＯＮし（ステップＳ５）、Ｉ２Ｃバス８９を介してＴＶモジュール８０の初期化を直接行う（ステップＳ７）。制御部１は、サーチ局５３としてのチャンネルがワークＲＡＭ５２に記憶されているか否かを判別する（ステップＳ９）。サーチ局５３が記憶されている場合は（ステップＳ９；Ｙｅｓ）、サーチ局５３内のチャンネルを順次指定して、そのチャンネルのＯＦＤＭ信号の受信（チャンネルサーチ）を行う（ステップＳ１１）。
【００６６】
そして、当該チャンネルサーチにより得られたＴＳをサーチ結果テーブル５４にチャンネル毎に記憶し（ステップＳ１３）、サーチ局５３内全てのチャンネルのチャンネルサーチを行ったか否かを判定する（ステップＳ１５）。全てのサーチ局５３のチャンネルサーチを終了していないと判定した場合は（ステップＳ１５；Ｎｏ）、ステップＳ１１に移行して順次チャンネルを指定してチャンネルサーチを行う。また、全てのサーチ局５３のチャンネルサーチが終了したと判定した場合は（ステップＳ１５；Ｙｅｓ）、ステップＳ２３に処理を移行する。
【００６７】
一方。ステップＳ９において、サーチ局５３が記憶されていないと判定した場合、（ステップＳ９；Ｎｏ）、制御部１は、全放送局のチャンネル（例えば、１ｃｈ〜６０ｃｈ）を順次指定して、そのチャンネルのチャンネルサーチを行う（ステップＳ１７）。
【００６８】
そして、ステップＳ１７のチャンネルサーチにより得られたＴＳをサーチ結果テーブル５４にチャンネル毎に記憶して（ステップＳ１９）、全放送局のチャンネルのチャンネルサーチを行ったか否かを判定する（ステップＳ２１）。
【００６９】
全チャンネルのチャンネルサーチを終了していないと判定した場合は（ステップＳ２１；Ｎｏ）、ステップＳ１７に移行して順次チャンネルを指定して再度チャンネルサーチを行う。また、全チャンネルのチャンネルサーチが終了したと判定した場合は、サーチ結果テーブル５４に記憶されたサーチ結果からチャンネル毎のＢＥＲを測定して（ステップＳ２３）、その測定したＢＥＲ（測定ＢＥＲ）が規定値（閾値）以下であると判定した場合は（ステップＳ２５；Ｙｅｓ）、測定ＢＥＲのチャンネルを受信可能局５５としてワークＲＡＭ５２に記憶する（ステップＳ２７）。
【００７０】
一方、測定ＢＥＲが規定値（閾値）を超えていると判定した場合（ステップＳ２５；Ｎｏ）、ステップＳ２９に移行して、サーチ結果テーブル５４に記憶された全サーチ結果のＢＥＲ測定が終了したか否かを判別する（ステップＳ２９）。サーチ結果のＢＥＲを全て測定していないと判別した場合には（ステップＳ２９；Ｎｏ）、ステップＳ２３に処理を移行して、チャンネル毎のＢＥＲの測定を繰り返す。
【００７１】
また、ステップＳ２９において、サーチ結果のＢＥＲを全て測定したと判別した場合には（ステップＳ２９；Ｙｅｓ）、ＴＶモジュール８０の電源をＯＦＦする（ステップＳ３１）。
【００７２】
このように、サーチ局５３が予め設定された場合は、そのサーチ局５３に対するチャンネルサーチのみを行うため、全チャンネルのチャンネルサーチを行う場合に比較して、ＴＶモジュール８０の駆動電力の消費を低減させることができ、また、チャンネルサーチの繰り返しを短縮することができる。
【００７３】
この後、制御部１は、ステップＳ３１にてＴＶモジュール８０の電源をＯＦＦした後、受信可能局５５として記憶されているチャンネルの有無を判別する（ステップＳ３３）。そして、受信可能局５５としてのチャンネルが記憶されていた場合には（ステップＳ３３；Ｎｏ）、当該チャンネルのチャンネル番号を含んだ受信可能局ピクトアイコン９０４，９０５をピクトエリア９００に点灯させて表示更新する（ステップＳ３５）。また、受信可能局５５としてのチャンネルが記憶されていない場合は（ステップＳ３３；Ｙｅｓ）、受信可能局ピクトアイコン９０４，９０５の点灯は行わない。
【００７４】
図５（ａ）は、メインディスプレイ９０の表示例の一例であり、このピクトエリア９００には、受信感度ピクトアイコン９０２、電池残量ピクトアイコン９０３とともに、受信可能局ピクトアイコン９０４，９０５が表示されている。受信可能局ピクトアイコン９０４は１ｃｈの放送局の放送受信が可能であることを表し、受信可能局ピクトアイコン９０５は、１０ｃｈの放送局の放送受信が可能であることを表している。この受信可能局ピクトアイコン９０４及び９０５の表示により、ユーザは、ＴＶ機能の実行、すなわち、ＴＶアクセラレータ８２を起動することなく、どのチャンネルの放送の視聴が可能かを知ることができる。
【００７５】
また、受信可能局ピクトアイコン９０４，９０５が表示されない場合には、視聴ができるＴＶ放送がないことを知ることができる。このため、ＴＶ機能を実行したにも関わらず、結局視聴ができないといったことがなくなると共に、そのＴＶ機能の実行に係るＴＶ部８の駆動電力を節約することもできる。
【００７６】
一方、制御部１は、時刻計時を開始し（ステップＳ３７）、その時刻がサーチ時間間隔５６に到達するまで待機する（ステップＳ３９）。計時時刻がサーチ時間間隔５６を超えたならば（ステップＳ３９；Ｙｅｓ）、ステップＳ５の処理に移行して、再びチャンネルサーチを行って受信可能局ピクトアイコン９０４，９０５の表示更新を行う。
【００７７】
以上、第１実施形態によれば、サーチ時間間隔５６おきにＴＶモジュール８０を駆動して、各チャンネルの放送受信の可否を判定し、その判定結果を受信可能局ピクトアイコン９０４，９０５としてピクトエリア９００に表示させる。このため、ＴＶ部８を常時駆動しておかなくとも、放送受信の可否をユーザに知らしめるることができ、携帯電話１００の消費電力を抑えることができる。
【００７８】
また、ＴＶ部８内のＴＶモジュール８０の駆動のみにより放送受信の可否を行うため、ＴＶ部８全体を駆動するよりも消費電力を抑えることができ、更なる省電力化が図れる。また、サーチ局５３が設定された場合には、そのサーチ局５３のチャンネルサーチのみを行うため、全ての放送局のチャンネルサーチを行うよりも電力消費を低減させることができる。
【００７９】
また、ユーザは、所望のチャンネルをサーチ局設定操作により選択することで、そのチャンネルのＴＶ放送の視聴が可能かを受信可能局ピクトアイコン９０４，９０５により確認することができる。また、ピクトエリア９００に受信可能局ピクトアイコン９０４，９０５が随時表示更新されるため、ユーザは、ＴＶ機能の実行前に、どのチャンネルのＴＶ放送の視聴が可能か否かを知ることができる。
【００８０】
尚、第１実施形態において、放送受信の可否の判定結果として、受信可能局ピクトアイコン９０４，９０５を図５（ａ）のように表示することとしたが、例えば、次のようにしてもよい。即ち、受信可能局５５に記憶されているチャンネルの数を計数し、そのチャンネル数をピクトエリア９００に受信可能局数ピクトアイコン９０６として表示させる。これにより、ユーザは、ＴＶ放送の視聴が可能なチャンネルがいくつあるかをＴＶ機能の起動以前に確認することができる。また、受信可能局ピクトアイコン９０４，９０５と受信可能局数ピクトアイコン９０６との両方を表示することとしてもよい。
【００８１】
〔第２実施形態〕
次に、本発明を適用した携帯電話の第２実施形態について図６〜図８を用いて説明する。第２実施形態における携帯電話１００ａの概観図は、図１に示した第１実施形態の携帯電話１００と同様である。尚、第１実施形態の携帯電話１００と同一の構成要素には、同一の符号を付してその説明を省略する。
【００８２】
図６は、携帯電話１００ａの機能構成の一例を示すブロック図である。携帯電話１００ａは、図２に示した携帯電話１００に測位部１１を追加し、図３（ｂ）のワークＲＡＭ５２を図７のワークＲＡＭ５２ａに置き換えた構成である。
【００８３】
測位部１１は、携帯電話１００の現在位置を測位する機能部であり、ＧＰＳ（Global Positioning System）用アンテナＡＮＴ１１及びＧＰＳ受信機を備えて構成される。制御部１は、サーチ時間間隔５６おきに測位部１１を駆動して、測位部１１に、ＧＰＳ衛星から送信されるＧＰＳ信号を受信させる。
【００８４】
測位部１１は、ＧＰＳ用アンテナＡＮＴ１１を介して受信したＧＰＳ信号に基づいて現在位置（例えば、緯度及び経度）を測位して、制御部１に出力する。制御部１は、測位部１１から出力された現在位置をワークＲＡＭ５２ａに記憶させる。
【００８５】
図７は、ワークＲＡＭ５２ａのデータ構成の一例を示す図である。同図によれば、ワークＲＡＭ５２ａは、サーチ局５３、サーチ結果テーブル５４、受信可能局５５、サーチ時間間隔５６、現在位置５７及び前回測位位置５８を記憶している。
【００８６】
現在位置５７は、測位部１１により測位された現在位置である。制御部１は、測位部１１から現在位置が出力された際に、既に記憶してある現在位置５７を前回測位位置５８として記憶更新した後に、その出力された現在位置でワークＲＡＭ５２ａを更新する。制御部１は、現在位置５７と前回測位位置５８の差分を算出することで、サーチ時間間隔５６おきに携帯電話１００の移動距離（変移）を求める。
【００８７】
図８は、第２実施形態における待受画面表示処理の具体的な処理内容を説明するためのフローチャートである。尚、図４に示した第１実施形態における待受画面表示処理と同一の処理ステップには同一のステップ番号を付し、その説明を省略する。
【００８８】
図８によれば、制御部１は、待受画面表示処理を開始すると、第１実施形態と同様に、ＴＶモジュール８０の電源をＯＮした後に、サーチ局５３のチャンネル毎、又は全てのチャンネル毎のチャンネルサーチを行って、サーチ結果を得る。そして、そのサーチ結果からチャンネル毎のＢＥＲを測定し、そのＢＥＲが規定値以下であれば、受信可能局５５として当該チャンネルをワークＲＡＭ５２ａに記憶させる（ステップＳ１〜Ｓ３９）。
【００８９】
そして、制御部１は、サーチ時間間隔５６の間待機した後（ステップＳ３９；Ｙｅｓ）、測位部１１を駆動して現在位置の測位を行って、ワークＲＡＭ５２ａに現在位置５７を記憶させる（ステップＳ３９）。次いで、現在位置５７と前回測位位置５８との差分を算出し、その差分が規定距離（例えば、１００ｍ）以上であるか否かを判別する（ステップＳ４１）。
【００９０】
制御部１は、当該差分が規定距離以上であると判別した場合は（ステップＳ４１；Ｙｅｓ）、携帯電話１００ａが規定距離以上移動したとして、ステップＳ５に処理を移行し、再びチャンネルサーチを開始する。一方、算出した差分が規定距離未満であった場合は、ステップＳ３７の処理に移行して、サーチ時間間隔５６経過後に現在位置の測位を再度行う。
【００９１】
以上、第２実施形態によれば、現在位置を測位し、当該現在位置から携帯電話１００ａが規定距離以上移動したと判別したならば、ＴＶモジュール８０を駆動して、チャンネル毎の受信可否の判定と、受信可能局ピクトアイコンの表示更新とを行う。このため、例えば、就寝中や仕事中などのユーザの移動距離が少ない、即ち、受信環境が変わらない場合は、チャンネルサーチを行わないため、更なる省電力設計の携帯電話１００ａを実現することができる。
【００９２】
尚、第２実施形態において、測位部１１の測位方法としてＧＰＳ信号の受信による測位を適用して説明したが、これに限られるものではなく適宜変更適用可能である。例えば、加速度センサにより携帯電話の移動の加速度を検出し、検出した加速度が所定値を超えた場合にチャンネルサーチを開始することとしてもよい。また、各無線基地局が管轄する通信エリアを横断して通信エリアが切り替わる際にチャンネルサーチを開始することとしてもよい。
【００９３】
また、本実施形態の携帯電話は、地上波デジタルＴＶ放送の受信を行うこととして説明したが、例えば、地上波アナログＴＶ放送の受信を行ってＴＶ映像の表示及びＴＶ音声の出力を行うこととしてもよいし、また、ＦＭラジオ放送やＡＭラジオ放送の受信を行ってラジオ放送を音声出力することとしてもよい。但し、ラジオ放送の受信する場合は、映像の表示出力は行わない。
【００９４】
この場合、放送受信の可否の判定は受信信号の電力量に基づいて行う。例えば、地上波アナログＴＶ放送の場合は、ＴＶ用アンテナＡＮＴ８により受信したＴＶ放送の振幅（電力量）が所定のレベル以上であった場合、即ち、受信感度が良好である場合に、そのＴＶ放送のチャンネルの放送受信が可能であるとして受信可能局ピクトアイコン９０４，９０５を表示させ、当該レベル未満であった場合、即ち、受信感度が悪くＴＶ放送が微弱である場合は、受信可能局ピクトアイコン９０４，９０５の表示を行わない。ラジオ放送の場合の適用方法は、地上波アナログＴＶ放送と同様である。この場合、ＯＦＤＭ変調信号を復調してＴＳを抽出することなく、放送受信の可否を判定できるため、更なる消費電力の削減が望める。
【００９５】
また、本発明の放送受信装置を携帯電話に適用することとして説明したが、例えば、ＴＶ放送やラジオ放送の受信機と音声通信を行う無線通信機と内蔵したＰＤＡ（Personal Digital Assistant）、ＰＨＳ等の電子機器に適用可能である。
【図面の簡単な説明】
【００９６】
【図１】本発明を適用した携帯電話の概観の一例。
【図２】第１実施形態における携帯電話の機能構成の一例を示すブロック図。
【図３】第１実施形態における（ａ）はプログラムＲＯＭ，（ｂ）はワークＲＡＭのデータ構成の一例を示す図。
【図４】待受画面表示処理を説明するためのフローチャート。
【図５】携帯電話の待受画面の一例を示す図。
【図６】第２実施形態における携帯電話の機能構成の一例を示すブロック図。
【図７】第２実施形態におけるワークＲＡＭのデータ構成の一例を示す図。
【図８】第２実施形態における待受画面表示処理を説明するためのフローチャート。
【符号の説明】
【００９７】
１００    携帯電話（放送受信装置）
１        制御部（判定手段、第１の表示制御手段、第２の表示制御手段）
２        ＲＦ部
４        入力部
５        記憶部
５０      プログラムＲＯＭ
５１      待受画面表示プログラム
５２      ワークＲＡＭ
５３      サーチ局
５４      サーチ局テーブル
５５      受信可能局
５６      サーチ時間間隔
５７      現在位置
５８      前回測位位置
７        音声処理部
８        テレビ部（放送受信手段）
８０      テレビモジュール（放送受信手段）
８２      テレビアクセラレータ（生成手段）
９０      メインディスプレイ（表示手段）
９００    ピクトエリア（第２の表示領域）
９０１    映像表示エリア（第１の表示領域）
１０      電源部
１１      測位部
【図１】
2006340160.tif 000003
【図２】
2006340160.tif 000004
【図３】
2006340160.tif 000005
【図４】
2006340160.tif 000006
【図５】
2006340160.tif 000007
【図６】
2006340160.tif 000008
【図７】
2006340160.tif 000009
【図８】
2006340160.tif 000010